(57)【要約】【課題】      第１変色温度以下に冷却されたときに第１色を表示し、第２変色温度以上に昇温した時に第２色を表示するリライタブルシート表面が結露により濡れることを防止すること。【解決手段】  前記リライタブルシート１に画像を形成するリライタブルシート用表示具又は表示装置（プリンタ）１６と、前記リライタブルシート１を複数枚重ねて収容可能であって、前記リライタブルシート１を挿入するための開閉可能な開口部を有したシート収容体１１と、前記１枚又は複数枚のリライタブルシート１を収容したシート収容体１１を収容可能な冷却室（冷凍室）Ａを有し、前記冷却室Ａ内のシート収容体１１内のリライタブルシート１を前記第１変色温度以下に冷却可能なシート収容体冷却庫（冷凍庫）６とを有するリライタブルシートの画像形成・消去システム。【選択図】    図２
2006043894.tif 000002
【特許請求の範囲】
【請求項１】
次の構成要件（Ａ01）〜（Ａ03）を備えた、リライタブルシートの画像形成・消去システム、
（Ａ01）所定の第１変色温度以下に冷却されたときに第１色を表示し、所定の第２変色温度以上に昇温した時に前記第１色とは異なる第２色を表示するリライタブルシートの表面を部分的に前記第２変色温度以上に昇温させて、前記第１色に表示された前記表面に部分的に第２色の表示部分を形成することにより前記リライタブルシートに画像を形成するリライタブルシート用表示具又は表示装置、
（Ａ02）前記リライタブルシートを複数枚重ねて収容可能であって、前記リライタブルシートを挿入するための開閉可能な開口部を有したシート収容体、
（Ａ03）前記複数のリライタブルシートを重ねて収容し且つ前記開口部を閉塞したシート収容体を収容可能な冷却室を有し、前記冷却室内のシート収容体内の複数枚のリライタブルシートを前記第１変色温度以下に冷却して前記第２色の表示部分を消去可能なシート収容体冷却庫。
【請求項２】
次の構成要件（Ａ04），（Ａ05）を備えた請求項１記載のリライタブルシートの画像形成・消去システム、
（Ａ04）前記シート収容体冷却庫の冷却室内の前記リライタブルシートを前記第１変色温度以下に冷却している時間をセット可能なタイマ、
（Ａ05）前記タイマがタイムアップした時に前記冷却庫の冷却用電源をオフにする電源遮断装置。
【請求項３】
次の構成要件（Ａ06）を備えた請求項１記載のリライタブルシートの画像形成・消去システム、
（Ａ06）前記シート収容体冷却庫の冷却室内の前記リライタブルシートを前記第１変色温度以下に冷却している時間をセット可能なタイマを有し、前記タイマがタイムアップした時に前記冷却庫の冷却用電源をオフにするタイマ付電源遮断装置。
【請求項４】
次の構成要件（Ａ07）を備えた請求項１記載のリライタブルシートの画像形成・消去システム、
（Ａ07）前記シート収容体冷却庫の冷却室内の前記リライタブルシートを前記第１変色温度以下に冷却している時間をセット可能なタイマと、前記タイマがタイムアップした時に前記冷却庫の冷却用電源をオフにする電源遮断装置とを有する前記冷却庫。
【請求項５】
次の構成要件（Ａ08）〜（Ａ010）を備えた請求項２ないし４のいずれか記載のリライタブルシートの画像形成・消去システム、
（Ａ08）冷却室内の温度を検出する温度センサ、
（Ａ09）前記温度センサの検出温度に対して設定されたタイマセット温度を記憶するセット温度記憶手段、
（Ａ010）前記温度センサの検出温度がタイマセット温度になったときに前記時間がセットされる前記タイマ。
【請求項６】
次の構成要件（Ａ011）を備えた、請求項４または５記載のリライタブルシートの画像形成・消去システム、
（Ａ011）前記タイマがタイムアップした時に前記シート収容体を大気に露出させるケース露出装置を有する前記冷却庫。
【請求項７】
次の構成要件（Ａ012）を備えた、請求項１ないし６のいずれか記載のリライタブルシートの画像形成・消去システム、
（Ａ012）リライタブルシートの販売時に、複数の前記リライタブルシートを収容した状態で前記複数のリライタブルシートと一緒に販売される前記シート収容体。
【請求項８】
次の工程（Ｂ01）〜（Ｂ03）を順次実行する、リライタブルシートの画像形成・消去方法、
（Ｂ01）所定の第１変色温度以下に冷却されたときに第１色を表示し、所定の第２変色温度以上に昇温した時に前記第１色とは異なる第２色を表示するリライタブルシートの表面を、リライタブルシート用表示具又は表示装置により、部分的に前記第２変色温度以上に昇温させて前記第１色に表示された前記表面に部分的に第２色の表示部分を形成することにより前記リライタブルシートに画像を形成する画像形成工程、
（Ｂ02）開平可能な開口部を有したシート収容体内に、前記開口部から前記リライタブルシートを挿入して前記開口部を閉塞して収納するシート収納工程、
（Ｂ03）前記リライタブルシートを収納し且つ前記開口部を閉塞したシート収容体をシート収容体冷却庫の冷却室内に収容して、前記シート収容体内のリライタブルシートを前記第１変色温度以下に冷却して第１色のみの表示状態にする画像消去工程。
【請求項９】
次の工程（Ｂ04）を実行する、請求項８記載のリライタブルシートの画像形成・消去方法、
（Ｂ04）前記画像消去工程の後、前記シート収容体を大気に露出させてシート収容体の内部温度を大気温度に上昇させるシート収容体露出工程。
【請求項１０】
次の工程（Ｂ05）を実行する、請求項８または９記載のリライタブルシートの画像形成・消去方法、
（Ｂ05）前記画像消去工程の後、前記シート収容体の内部温度が大気温度に上昇した状態で前記開口部を開放して、前記リライタブルシートを前記シート収容体内部から取り出すシート取り出し工程。
【請求項１１】
次の工程（Ｃ01）を備えた、リライタブルシートの画像消去方法、
（Ｃ01）所定の第１変色温度以下に冷却されたときに第１色となり、所定の第２変色温度以上に昇温した時に前記第２変色温度以上に昇温した部分のみが前記第１色とは異なる第２色に変色したリライタブルシートを、シート収容体の開口部から挿入して前記開口部を閉塞した状態でシート収容体冷凍庫の冷却室内に収納し、前記シート収容体内のリライタブルシートを前記第１変色温度以下に冷却して第１色のみの状態にする画像消去工程。
【請求項１２】
次の工程（Ｃ02）を備えた、リライタブルシートの画像消去方法、
（Ｃ02）リライタブルシートの販売時に、複数の前記リライタブルシートを収容した状態で前記複数のリライタブルシートと一緒に販売された開閉可能な開口部を有するシート収容体を使用する前記画像消去工程。
【発明の詳細な説明】
【技術分野】
【０００１】
本発明は、所定の第１変色温度以下に冷却されたときに第１色を表示し、所定の第２変色温度以上に昇温した時に前記第２変色温度以上に昇温した部分のみが前記第１色とは異なる第２色を表示するリライタブルシートの画像形成・消去システム、画像形成・消去方法、および画像消去方法に関する。
【背景技術】
【０００２】
前記リライタブルシート表面への画像形成・消去方法としては、次の特許文献１記載の技術が従来公知である。
（１）特許文献１：特許第２９０５９９８号明細書（特開平４−３２９９９３号公報）
この特許文献１には、低温側変色点と高温側変色点との２つの熱変色点を持ち、低温側変色点以下の温度で第１色を表示し、高温側変色点以上の温度で第２色を表示する熱変色性要素の熱変色層を高温側変色点以上に昇温させて変色させる通電加熱具が記載されている。
【０００３】
またこの特許文献１には、従来技術およびその問題点が次のように記載されている。
すなわち、熱変色層を冷却変色させるための携帯性の軽便な冷熱手段は未だ開示されておらず、冷水、氷片等の冷熱媒体の適用や、対象の熱変色性要素を冷蔵庫内に入れ、庫内の冷気による変色操作を行う技術が記載されている。また、前記対象の熱変色性要素を、冷熱媒体が収容されている容器表面に接触させて変色操作を行う場合は、容器表面に発生する結露層や水滴、あるいは漏水等により熱変色性要素が変質しがちであると記載されている。
そこで、この特許文献１には、必要時に場所を選ばず、即座に対象物の冷熱変色を行うことができるようにするため、筆記具型またはアイロン型の通電冷却変色具１１が記載されている。
【０００４】
また、熱変色層を変色させて表示色を変更する技術として次の特許文献２、３に記載された技術が従来公知である。
（２）特許文献２：特許公報昭和５９−２９０１号
この特許文献２には、回転移動するエンドレスのベルト状の感熱表示体と、前記感熱表示体に画像を記録する発熱体と、前記感熱体の移動経路の途中に配置され且つ記録された画像を消去するペルチェ素子を備えた冷却器とを有する感熱表示装置が記載されている。
【０００５】
（３）特許文献３（実開平４−８０５９５号公報）
この公報には、熱変色玩具を冷却する従来方法として、冷水、氷片、または冷蔵庫等に熱変色性玩具を出し入れして変色させる方法が記載されている。その従来方法では、水濡れした玩具の後始末が煩雑で、軽便性に欠けているので、冷水、氷片等の冷媒中に配置した金属性有底筒体を冷却し、その筒体中に収容させた熱変色性玩具を冷却させて変色させる冷却器が記載されている。
【０００６】
【特許文献１】特許第２９０５９９８号明細書（特開平４−３２９９９３号公報）
【特許文献２】特許公報昭和５９−２９０１号
【特許文献３】実開平４−８０５９５号公報
【発明の開示】
【発明が解決しようとする課題】
【０００７】
（前記特許文献１記載の技術の問題点）
前記特許文献１に記載された技術は、筆記具型またはアイロン型の通電冷却変色具１１を使用するので、多数枚のリライタブルシートに形成された画像を一度に消去する場合には、画像消去作業に要する時間が長くなるという問題点がある。
（前記特許文献２記載の技術の問題点）
前記特許文献２に記載された技術は、感熱表示装置が、回転移動するエンドレスのベルト状の感熱表示体と、前記感熱表示体に画像を記録する発熱体と、前記感熱体の移動経路の途中に配置され且つ記録された画像を消去するペルチェ素子を備えた冷却器とを有するので、全体として装置が複雑、大型となり、使い勝手が悪いという問題点がある。
【０００８】
（前記特許文献３記載の技術の問題点）
前記特許文献３に記載された技術は、冷水、氷片等の冷媒中に配置した金属性有底筒体を冷却し、その筒体中に収容させた熱変色性玩具を冷却させて変色させているが、冷却して変色した熱変色玩具を、冷却状態で大気中に取り出すと、玩具表面が結露により濡れるという問題点があった。
【０００９】
なお、前記特許文献１に従来技術として記載された、熱変色性要素（例えば、リライタブルシート）を冷蔵庫内に入れ、庫内の冷気による変色操作を行う技術では、熱変色要素が冷却状態で大気に接触すると、冷却状態の熱変色要素の表面が結露により濡れるという問題点が生じる。前記熱変色要素の材料が紙の場合には、前記結露により濡れると寿命が短くなるという問題点がある。
しかしながら、従来、熱変色性要素（例えば、リライタブルシート）表面の結露に対する有効な対策は考えられたことがなかった。
【００１０】
本発明は前記事情に鑑み、次の（Ｏ01）の記載内容を技術的課題とする。
（Ｏ01）所定の第１変色温度以下に冷却されたときに第１色を表示し、所定の第２変色温度以上に昇温した時に前記第２変色温度以上に昇温した部分のみが前記第１色とは異なる第２色を表示するリライタブルシート表面が結露により濡れることを防止すること。
【課題を解決するための手段】
【００１１】
次に、前記課題を解決するために案出した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【００１２】
なお、本発明の説明において、リライタブルシートとは、従来より知られている、ヒステリシス特性を示す可逆熱変色性材料を一面に塗布した感熱変色シートのことである。所定の第１変色温度以下に冷却されたときに第１色を表示し、所定の第２変色温度以上に昇温した時に前記第１色とは異なる第２色を表示するが、前記第１色が有色で第２色が異なった色彩の有色でも良いし、前記第１色が有色で第２色が無色（透明）であっても良い。
リライタブルシート表示具又は表示装置とは、従来より知られている、ケーシングに収容、保持した通電発熱体を発熱させ、該発熱体に接触配置の伝熱性部材を加熱して機能させるか、前記通電発熱体の後方に配置の送風手段を介してケーシング先端の吐出口より温風を吐出させる構造（特許公報第２９０５９９８号公報に記載）や、熱を付与するサーマルヘッドを有した熱転写プリンタのことである。
【００１３】
また本発明の説明において、シート収容体とは、開閉可能な開口部を有する袋状や、開口部を開閉する開閉蓋を有する箱型形状のものである。材質としては、ケースの表面から空気が出入りしない金属や合成樹脂等が良いが、ケースの表面から空気が出入りしにくい紙でも良い。好ましくは、リライタブルシートを収納しやすくシート収容体内を外気と容易に遮断することができる開閉蓋を有する箱型形状が良い。また材質は、収納したリライタブルシートの表面を所定の第１変色温度以下に冷却するために熱伝導率の良い金属が良く、特にアルミ製は重量やコストの面から好ましい。
シート収容体冷却庫とは、前記シート収容体を収納可能であって、前記した所定の第１変色温度以下に冷却できるものであれば良く、一般的に知られている冷蔵庫や冷凍庫であっても良い。
【００１４】
（第１発明）
前記課題を解決するために第１発明のリライタブルシートの画像形成・消去システムは、次の構成要件（Ａ01）〜（Ａ03）を備えたことを特徴とする。
（Ａ01）所定の第１変色温度（−１５℃）以下に冷却されたときに第１色を表示し、所定の第２変色温度（６０℃）以上に昇温した時に前記第１色とは異なる第２色を表示するリライタブルシート（１）の表面を部分的に前記第２変色温度（６０℃）以上に昇温させて、前記第１色に表示された前記表面に部分的に第２色の表示部分を形成することにより前記リライタブルシート（１）に画像を形成するリライタブルシート用表示具又は表示装置（１６）、
（Ａ02）前記リライタブルシートを複数枚重ねて収容可能であって、前記リライタブルシート（１）を挿入するための開閉可能な開口部（１２ａ）を有したシート収容体（１１）、
（Ａ03）前記複数のリライタブルシート（１）を重ねて収容し且つ前記開口部（１２ａ）を閉塞したシート収容体（１１）を収容可能な冷却室（Ａ）を有し、前記冷却室（Ａ）内のシート収容体（１１）内の複数枚のリライタブルシート（１）を前記第１変色温度（−１５℃）以下に冷却して前記第２色の表示部分を消去可能なシート収容体冷却庫（６）。
【００１５】
（第１発明の作用）
前記構成要件（Ａ01）〜（Ａ03）を備えた第１発明のリライタブルシート（１）の画像形成・消去システムでは、
（Ａ01）所定の第１変色温度（−１５℃）以下に冷却されたときに第１色を表示し、所定の第２変色温度（６０℃）以上に昇温した時に前記第１色とは異なる第２色を表示するリライタブルシート（１）に画像を形成するリライタブルシート用表示具又は表示装置（１６）は、リライタブルシート（１）の表面を部分的に前記第２変色温度（６０℃）以上に昇温させて、前記第１色に表示された前記表面に部分的に第２色の表示部分を形成することにより前記リライタブルシート（１）に画像を形成する。
前記リライタブルシート（１）を挿入するための開閉可能な開口部（１２ａ）を有したシート収容体（１１）は、複数のリライタブルシート（１）を重ねて収容した状態で前記開口部（１２ａ）を開閉蓋（１３）により閉塞する。シート収容体冷却庫（６）は、冷却室（Ａ）内に収容したシート収容体（１１）内の複数枚のリライタブルシート（１）を前記第１変色温度（−１５℃）以下に冷却する。
前記第１変色温度（−１５℃）以下に冷却されたシート収容体（１１）内の複数枚のリライタブルシート（１）は全て第１色になる。前記第１色を表示するリライタブルシート（１）を収容するシート収容体（１１）を、前記冷却庫（６）の冷却室（Ａ）から取り出して大気中に放置しても、開閉蓋（１３）により前記開口部（１２ａ）を閉塞状態にしておけば、水分の多い大気がシート収容体（１１）内に大量に浸入することがないので、シート収容体（１１）内のリライタブルシート（１）表面に結露が生じることを防止することができる。
前記大気中に放置したシート収容体（１１）の温度が常温に戻った状態で、前記シート収容体（１１）の開閉蓋（１３）を開放して、シート収容体（１１）内のリライタブルシート（１）を大気中に露出しても、リライタブルシート（１）表面に結露が生じることはない。
【００１６】
（第１発明の形態１）
第１発明の形態１のリライタブルシート（１）の画像形成・消去システムは、前記第１発明において次の構成要件（Ａ04），（Ａ05）を備えたことを特徴とする。
（Ａ04）前記シート収容体冷却庫（６）の冷却室（Ａ）内の前記リライタブルシート（１）を前記第１変色温度（−１５℃）以下に冷却している時間をセット可能なタイマ（９）、
（Ａ05）前記タイマ（９）がタイムアップした時に前記冷却庫（６）の冷却用電源をオフにする電源遮断装置。
【００１７】
（第１発明の形態１の作用）
前記構成要件（Ａ04），（Ａ05）を備えた第１発明の形態１のリライタブルシート（１）の画像形成・消去システムでは、電源遮断装置は、時間をセット可能なタイマ（９）がタイムアップした時に前記冷却庫（６）の冷却用電源をオフにする。
したがって、リライタブルシート（１）を収容したシート収容体（１１）を冷却庫（６）の冷却室（Ａ）に収納して、冷却庫（６）の電源をオンにすると同時に前記タイマ（９）に適当な時間（シート収容体（１１）内の全てのリライタブルシート（１）が第１変色温度（−１５℃）以下になる時間）をセットすると、全てのリライタブルシート（１）が第１色を表示する状態になってから前記タイマ（９）がタイムアップして、冷却庫（６）の冷却用電源がオフになる。この場合、リライタブルシート（１）の冷却に無駄な電力を消費することを防止することができる。
【００１８】
（第１発明の形態２）
第１発明の形態２リライタブルシート（１）の画像形成・消去システムは、前記第１発明において次の構成要件（Ａ06）を備えたことを特徴とする。
（Ａ06）前記シート収容体冷却庫（６）の冷却（Ａ）内の前記リライタブルシート（１）を前記第１変色温度（−１５℃）以下に冷却している時間をセット可能なタイマ（９）を有し、前記タイマ（９）がタイムアップした時に前記冷却庫（６）の冷却用電源をオフにするタイマ付電源遮断装置。
（第１発明の形態２の作用）
前記構成要件（Ａ06）を備えた第１発明の形態２のリライタブルシート（１）の画像形成・消去システムでは、タイマ付電源遮断装置は、時間をセット可能なタイマ（９）がタイムアップした時に前記冷却庫（６）の冷却用電源をオフにする。
前記タイマ付電源遮断装置は、タイマ（９）と電源遮断装置とがセットになって構成されているので、使い勝手が良い。
【００１９】
（第１発明の形態３）
第１発明の形態３のリライタブルシート（１）の画像形成・消去システムは、前記第１発明において次の構成要件（Ａ07）を備えたことを特徴とする。
（Ａ07）前記シート収容体冷却庫（６）の冷却室（Ａ）内の前記リライタブルシート（１）を前記第１変色温度（−１５℃）以下に冷却している時間をセット可能なタイマ（９）と、前記タイマ（９）がタイムアップした時に前記冷却庫（６）の冷却用電源をオフにする電源遮断装置とを有する前記冷却庫（６）。
（第１発明の形態３の作用）
前記構成要件（Ａ07）を備えた第１発明の形態３のリライタブルシート（１）の画像形成・消去システムでは、前記冷却庫（６）の電源遮断装置は、時間をセット可能なタイマ（９）がタイムアップした時に前記冷却庫（６）の冷却用電源をオフにする。
前記冷却庫（６）は、前記タイマ（９）および電源遮断装置を備えているので、使い勝手が良い。
【００２０】
（第１発明の形態４）
第１発明の形態４のリライタブルシート（１）の画像形成・消去システムは、前記第１発明の形態１ないし３のいずれかにおいて次の構成要件（Ａ08）〜（Ａ010）を備えたことを特徴とする。
（Ａ08）冷却室（Ａ）内の温度を検出する温度センサ、
（Ａ09）前記温度センサの検出温度に対して設定されたタイマセット温度を記憶するセット温度記憶手段、
（Ａ010）前記温度センサの検出温度がタイマセット温度になったときに前記時間がセットされる前記タイマ。
【００２１】
（第１発明の形態４の作用）
前記構成要件（Ａ08）〜（Ａ010）を備えた第１発明の形態４のリライタブルシート（１）の画像形成・消去システムでは、温度センサは、冷却室（Ａ）内の温度を検出する。セット温度記憶手段は、前記温度センサの検出温度に対して設定されたタイマセット温度を記憶する。前記タイマは、前記温度センサの検出温度がタイマセット温度になったときに前記時間がセットされる。
この場合、前記冷却室（Ａ）内の温度がタイマセット温度になった時にタイマにセットされた時間が経過した時に前記冷却庫（６）の冷却用電源がオフになる。
前記タイマセット温度として、例えば前記第１変色温度（−１５℃）を採用すれば、前記冷却室（Ａ）内の温度が第１変色温度になった時から前記タイマにセットされた時間が経過した時に冷却庫（６）の冷却用電源がオフになる。したがって、前記タイマにセットする時間として、前記冷却室（Ａ）内の温度が第１変色温度になった時点から冷却室（Ａ）内に収容されたシート収容体（１１）内部の全リライタブルシート（１）の温度が前記第１変色温度になる時点までの経過時間をセットすることにより、冷却庫（６）の冷却室（Ａ）を冷却するための無駄な電力消費を防止することができる。
【００２２】
（第１発明の形態５）
第１発明の形態５リライタブルシート（１）の画像形成・消去システムは、前記第１発明の形態３または４において、次の構成要件（Ａ011）を備えたことを特徴とする。
（Ａ011）前記タイマ（９）がタイムアップした時に前記シート収容体（１１）を大気に露出させるケース露出装置を有する前記冷却庫（６）。
（第１発明の形態５の作用）
前記構成要件（Ａ011）を備えた第１発明の形態５リライタブルシート（１）の画像形成・消去システムでは、ケース露出装置を有する前記冷却庫（６）は、前記タイマがタイムアップした時に前記シート収容体（１１）を大気に露出させる。
前記シート収容体（１１）を大気に露出させるケース露出装置は、例えば、冷却庫（６）の開閉カバーを、開放して冷却庫（６）の内部を大気に連通させる装置により構成することができる。
【００２３】
（第１発明の形態６）
第１発明の形態６のリライタブルシート（１）の画像形成・消去システムは、前記第１発明または第１発明の形態１もしくは５のいずれかにおいて、次の構成要件（Ａ012）を備えたことを特徴とする。
（Ａ012）リライタブルシート（１）の販売時に、複数の前記リライタブルシート（１）を収容した状態で前記複数のリライタブルシート（１）と一緒に販売された前記シート収容体（１１）。
（第１発明の形態６の作用）
前記構成要件（Ａ012）を備えた第１発明の形態６のリライタブルシート（１）の画像形成・消去システムでは、前記開口部（１２ａ）を有するシート収容体（１１）としては、リライタブルシート（１）の販売時に、複数の前記リライタブルシート（１）を収容した状態で前記複数のリライタブルシート（１）と一緒に販売されたシート収容体（１１）を使用することができる。
すなわち、前記リライタブルシート（１）を開閉可能な開口部（１２ａ）を有するシート収容体（１１）に収納した状態で販売した場合に、前記リライタブルシート（１）の購入時にリライタブルシート（１）が収納されていた前記シート収容体（１１）を、リライタブルシート（１）の冷却時に使用することができる。
【００２４】
（第２発明）
第２発明のリライタブルシート（１）の画像形成・消去方法は、次の工程（Ｂ01）〜（Ｂ03）を順次実行することを特徴とする。
（Ｂ01）所定の第１変色温度以下に冷却されたときに第１色を表示し、所定の第２変色温度（６０℃）以上に昇温した時に前記第１色とは異なる第２色を表示するリライタブルシート（１）の表面を、リライタブルシート用表示具又は表示装置（１６）により、部分的に前記第２変色温度（６０℃）以上に昇温させて前記第１色に表示された前記表面に部分的に第２色の表示部分を形成することにより前記リライタブルシート（１）に画像を形成する画像形成工程、
（Ｂ02）開閉可能な開口部（１２ａ）を有したシート収容体（１１）内に、前記開口部（１２ａ）から前記リライタブルシート（１）を挿入して前記開口部（１２ａ）を閉塞して収納するシート収納工程、
（Ｂ03）前記リライタブルシート（１）を収納し且つ前記開口部（１２ａ）を閉塞したシート収容体（１１）をシート収容体冷却庫（６）の冷却室（Ａ）内に収容させて、前記シート収容体（１１）内のリライタブルシート（１）を前記第１変色温度以下に冷却して第１色のみの表示状態にする画像消去工程。
【００２５】
（第２発明の作用）
前記工程（Ｂ01）〜（Ｂ03）を順次実行する第２発明のリライタブルシート（１）の画像形成・消去方法では、所定の第１変色温度以下に冷却されたときに第１色を表示し、所定の第２変色温度（６０℃）以上に昇温した時に前記第１色とは異なる第２色を表示するリライタブルシート（１）の表面に画像を形成する画像形成工程において、前記第１色に表示された前記リライタブルシート（１）の前記表面を、リライタブルシート用表示具又は表示装置（１６）により部分的に前記第２変色温度（６０℃）以上に昇温させる。そのとき、前記リライタブルシート（１）表面の部分的に前記第２変色温度（６０℃）以上に昇温した部分は、部分的に第２色の表示部分が形成される。
前記リライタブルシート（１）をシート収容体（１１）内に収納するシート収納工程では、シート収容体（１１）の開口部（１２ａ）からシート収容体（１１）内部に前記リライタブルシート（１）を挿入してから前記開口部（１２ａ）を開閉蓋（１３）により閉塞する。
画像消去工程では、前記リライタブルシート（１）が収納され且つ前記開口部（１２ａ）が閉塞されたシート収容体（１１）をシート収容体冷却庫（６）の冷却室（Ａ）内に収容させて、前記シート収容体（１１）内のリライタブルシート（１）を前記第１変色温度以下に冷却して第１色のみの表示状態にする。
【００２６】
（第２発明の形態１）
第２発明の形態１のリライタブルシート（１）の画像形成・消去方法は、前記第２発明において、次の工程（Ｂ04）を実行することを特徴とする。
（Ｂ04）前記画像消去工程の後、前記シート収容体（１１）を大気に露出させてシート収容体（１１）の内部温度を大気温度に上昇させるシート収容体露出工程。
（第２発明の形態１の作用）
前記工程（Ｂ04）を実行する第２発明の形態１のリライタブルシート（１）の画像形成・消去方法では、前記画像消去工程の後、シート収容体露出工程では、前記シート収容体（１１）を大気に露出させてシート収容体（１１）の内部温度を大気温度に上昇させる。
前記シート収容体（１１）を大気に露出させてシート収容体（１１）の内部温度を大気温度に上昇させる際、前記開口部（１２ａ）を開閉蓋（１３）により閉塞状態にしておけば、水分の多い大気がシート収容体（１１）内部に大量に侵入することがないので、シート収容体（１１）内のリライタブルシート（１）表面に結露が生じることを防止することができる。
【００２７】
（第２発明の形態２）
第２発明の形態２のリライタブルシート（１）の画像形成・消去方法は、前記第２発明または第２発明の形態１において、次の工程（Ｂ05）を実行することを特徴とする。
（Ｂ05）前記画像消去工程の後、前記シート収容体（１１）の内部温度が大気温度に上昇した状態で前記開口部（１２ａ）を開放して、前記リライタブルシート（１）を前記シート収容体（１１）内部から取り出すシート取り出し工程。
（第２発明の形態２の作用）
前記工程（Ｂ05）を実行する第２発明の形態２のリライタブルシート（１）の画像形成・消去方法では、前記画像消去工程の後、前記リライタブルシート（１）を前記シート収容体（１１）内部から取り出すシート取り出し工程において、前記シート収容体（１１）の内部温度が大気温度に上昇した状態で前記開口部（１２ａ）を開放して、リライタブルシート（１）を取り出す。前述のように前記シート収容体（１１）の内部温度が大気温度に上昇した状態で前記開口部（１２ａ）を開放することにより、シート収容体（１１）内に収納されていたリライタブルシート（１）表面に結露が生じることを防止することができる。
【００２８】
（第３発明）
第３発明のリライタブルシート（１）の画像消去方法は、次の工程（Ｃ01）を備えたことを特徴とする。
（Ｃ01）所定の第１変色温度以下に冷却されたときに第１色となり、所定の第２変色温度（６０℃）以上に昇温した時に前記第２変色温度（６０℃）以上に昇温した部分のみが前記第１色とは異なる第２色に変色したリライタブルシート（１）を、シート収容体（１１）の開口部（１２ａ）から挿入して前記開口部（１２ａ）を閉塞した状態でシート収容体冷凍庫（６）の冷却室（Ａ）内に収納し、前記シート収容体（１１）内のリライタブルシート（１）を前記第１変色温度以下に冷却して第１色のみの状態にする画像消去工程。
【００２９】
（第３発明の作用）
前記工程（Ｃ01）を備えた第３発明のリライタブルシート（１）の画像消去方法では、所定の第１変色温度以下に冷却されたときに第１色となり、所定の第２変色温度（６０℃）以上に昇温した時に前記第２変色温度（６０℃）以上に昇温した部分のみが前記第１色とは異なる第２色に変色したリライタブルシート（１）の画像消去工程では、リライタブルシート（１）をシート収容体（１１）の開口（１２ａ）から挿入して前記開口部（１２ａ）を閉塞した状態でシート収容体冷凍庫（６）の冷却室（Ａ）内に収納し、前記シート収容体（１１）内のリライタブルシート（１）を前記第１変色温度以下に冷却して第１色のみの状態にする。
前述のようにシート収容体（１１）内にリライタブルシート（１）を収納し前記シート収容体（１１）の開口部（１２ａ）を閉塞した状態で、冷却することにより、湿気がシート収容体（１１）内に侵入しない状態で、シート収容体（１１）内のリライタブルシート（１）を冷却することができる。また、シート収容体（１１）内に収納され且つ冷却されたリライタブルシート（１）を、前記シート収容体（１１）の開口部（１２ａ）を閉塞した状態で常温まで昇温させることができる。すなわち、シート収容体（１１）内に収納したリライタブルシート（１）を前記開口部（１２ａ）を閉塞した状態で冷却したり昇温させたりすることができるので、前記リライタブルシート（１）の冷却、昇温時に、前記リライタブルシート（１）表面に結露が生じるを防止することができる。
【００３０】
（第３発明の形態１）
第３発明の形態１のリライタブルシート（１）の画像消去方法は、次の工程（Ｃ02）を備えたことを特徴とする。
（Ｃ02）リライタブルシート（１）の販売時に、複数の前記リライタブルシート（１）を収容した状態で前記複数のリライタブルシート（１）と一緒に販売された開閉可能な開口部（１２ａ）を有するシート収容体（１１）を使用する前記画像消去工程。
（第３発明の形態１の作用）
前記工程（Ｃ02）を備えた第３発明の形態１のリライタブルシート（１）の画像消去方法では、前記画像消去工程において、リライタブルシート（１）の販売時に、複数の前記リライタブルシート（１）を収容した状態で前記複数のリライタブルシート（１）と一緒に販売された開閉可能な開口部（１２ａ）を有するシート収容体（１１）を使用する。
したがって、リライタブルシート（１）の購入時に同時に購入したシート収容体（１１）を使用して、リライタブルシート（１）の冷却を行うことができるので、別途シート収容体（１１）を購入する手間を省くことができる。
【発明の効果】
【００３１】
前述の本発明は、下記の効果（Ｅ01）を奏する。
（Ｅ01）所定の第１変色温度以下に冷却されたときに第１色を表示し、所定の第２変色温度以上に昇温した時に前記第２変色温度以上に昇温した部分のみが前記第１色とは異なる第２色を表示するリライタブルシート表面が結露により濡れることを防止することができる。
したがって、リライタブルシートが結露することにより生じる問題、例えばリライタブルシート表面にほこりが付着してしまったり、画像を形成しようとした際に、リライタブルシート用表示具又は表示装置におけるリライタブルシートを部分的に加熱する発熱体を損傷したりすることを防止できる。
【発明を実施するための最良の形態】
【００３２】
次に図面を参照しながら、本発明の実施例を説明するが、本発明は以下の実施例に限定されるものではない。
【実施例１】
【００３３】
図１は本発明のリライタブルシートの画像形成・消去システムの実施例で使用するリライタブルシートの１例の説明図で、図１Ａは第１変色温度以下に冷却された状態のリライタブルシートの斜視図、図１Ｂはリライタブルシート用プリンタ（１６）により表面の一部が第２変色温度以上に昇温されて画像が表示された状態のリライタブルシートの斜視図である。
図１において、リライタブルシート１は、白色の台紙２と、前記台紙２の表面の１／２の領域にそれぞれ形成された第１表示層３と、第２表示層４とを有している。第１表示層３は第１変色温度（−１５℃）以下に冷却されると赤色（第１色）を表示し、第２変色温度（６０℃）以上に昇温すると透明（第２色）となる表示層である。第２表示層４は第１変色温度（−１５℃）以下に冷却されると青色（第１色）を表示し、第２変色温度（６０℃）以上に昇温すると透明（第２色）となる表示層である。
【００３４】
したがって、前記リライタブルシート１を−１５℃以下に冷却すると、第１表示層３は全面が赤色を表示し、第２表示層４は全面が青色を表示する。前記リライタブルシート１に熱転写プリンタ（リライタブルシート用プリンタ）により、大きな文字で、例えば第１表示層３に「大売」および「１０月」と印字し、また、第２表示層４に、「出し」および「１１〜１５日」と印字すると、第１表示層３および第２表示層４の印字した部分は透明になる。その場合、第１表示層３には赤を背景にして「大売」および「１０月」が前記台紙２の白色で表示され、第２表示層４には青を背景にして「出し」および「１１〜１５日」が前記台紙２の白色で表示される。
【００３５】
図２は本発明のリライタブルシートの画像形成・消去システムの実施例１の全体説明図である。
図２において、冷凍庫（シート収容体冷却庫）６は、冷凍室（冷却室）Ａを形成する冷凍庫本体７と前記冷凍室Ａを開閉する開閉カバー８とを有している。開閉カバー８の外側面にはタイマ９が設けられている。開閉カバー８を閉塞した状態で、タイマ９に冷却時間をセットすると冷凍庫６の電源（図示せず）がオンとなり、冷凍庫６の冷却が開始される。前記タイマ９にセットした時間がタイムアップしたとき、冷凍庫６の冷却用電源がオフとなるように構成されている。
【００３６】
前記冷凍庫６の冷凍室Ａに出入可能なアルミ製のシート収容体１１は、前記リライタブルシート１を挿入する開口部１２ａを有するケース本体１２と、前記開口部１２ａを開閉する開閉蓋１３とを有している。
前記冷凍庫６は、複数のリライタブルシート１が重ねて収容され且つ前記開閉蓋１３が閉塞されたシート収容体１１を、前記冷凍室Ａ内に収容して開閉カバー８を閉塞した状態で、タイマ９にセットした時間シート収容体１１を冷却可能である。前記タイマ９に所定時間をセットすることにより、前記冷凍室Ａ内のシート収容体１１内の複数枚のリライタブルシート１を前記第１変色温度（−１５℃）以下に冷却可能である。
【００３７】
前記冷凍庫６の上面には、前記リライタブルシートに印字するための熱転写プリンタ（リライタブルシート用プリンタ）１６が支持されている。前記熱転写プリンタ１６は、パソコン１７に接続されており、パソコン１７には、ディスプレイ１８、キーボード１９、マウス２０等が接続されている。パソコン１７はハードディスクを内蔵している。符号１７〜２０等で示された要素により、前記リライタブルシート１に印字する画像を作成するための画像作成装置（１７〜２０）が構成されている。また、前記画像作成装置（１７〜２０）と前記熱転写プリンタ１６とにより、リライタブルシート１に画像を形成するための画像形成装置（１６＋１７〜２０）が構成されている。
【００３８】
（実施例１の作用）
図３は前記図２で説明した本発明のリライタブルシートの画像形成・消去システムの実施例１の作用説明図であり、図３Ａは冷凍室内部にシート収容体を配置する様子を示す図、図３Ｂは冷凍室内部にシート収容体を配置した状態を示す図である。
図２において、シート収容体１１のケース本体１２にその開口部１２ａから複数のリライタブルシート１を挿入し、前記開口部１２ａを閉塞蓋１３により閉塞する。
図３Ａにおいて、前記冷凍庫６の開閉カバー８を開放して、複数のリライタブルシート１を収納したシート収容体１１を冷凍室Ａ内に挿入する。その状態で開閉カバー８を閉塞する。その状態で、前記タイマ９に例えば８時間をセットする。前記タイマ９に時間をセットすると同時に、冷凍庫６の冷却用電源がオンとなって冷凍室Ａが冷却される。
前記タイマ９にセットされた時間の経過に伴って冷凍室Ａ内の温度が低下する。なお、前記タイマ９には、冷凍室Ａ内部に配置したシート収容体１１内部の全リライタブルシートが前記第１変色温度（−１５℃）以下になるのに必要な時間がセットされる。
【００３９】
図４はタイマにセットされた時間が経過したときの冷却室内の状態の説明図で、図４Ａは冷却室内のシート収容体内部の温度が−１５℃以下になった状態の説明図、図４Ｂはタイマにセットされた時間がタイムアップした状態の説明図である。
前記タイマ９がセットされてから、ある時間経過すると冷凍室Ａ内の温度が−１５℃以下になる（図４Ａ参照）。その状態になった後に、前記シート収容体１１内部の温度も低下して−１５℃以下になる。前記シート収容体１１内部の全リライタブルシート１の温度が−１５℃以下になると、リライタブルシートの第１表示層３の全領域が赤色（第１色）、第２表示層４の全領域が青色（第１色）になる。
前記リライタブルシートの第１表示層３の全領域が赤色（第１色）、第２表示層４の全領域が青色（第１色）になった状態で前記タイマ９がタイムアップする。
前記タイマ９がタイムアップした時、前記冷凍庫６の冷却用電源がオフとなって冷凍庫６の冷却動作が停止される。
【００４０】
図５は前記冷凍庫の冷凍室からシート収容体を取り出し、シート収容体内部の温度が大気温度にほぼ等しくなるまで大気中にシート収容体を放置している状態を示す図である。
前記タイマ９がオフになった後、前記冷凍庫６の冷凍室Ａからシート収容体１１を取り出して、シート収容体１１内部が低温の状態で開閉蓋１３を開放すると、シート収容体１１内部のリライタブルシート１に結露が生じることがある。そこで、図５に示すように、前記リライタブルシート１表面での結露の発生を防止するため、前記タイマ９がオフになった後、前記冷凍庫６の冷凍室Ａからシート収容体１１を取り出して開閉蓋１３を閉塞状態にしたまま大気中に放置し、シート収容体１１内部が常温（外部温度とほぼ同程度の温度）になってから、開閉蓋１３を開放する。
このように、リライタブルシート１を前記シート収容体内部に収容した状態で冷却し、且つシート収容体１１内部が外部温度に同程度の温度になってから、シート収容体１１内部のリライタブルシート１を取り出すことにより、リライタブルシート１表面に結露が発生することを防止することができる。
【００４１】
前記大気中に放置した後に開閉蓋１３を開放したときのシート収容体１１内部のリライタブルシート１は全領域が第１色（第１表示層３は赤色、第２表示層４は青色）になっている。
全領域が第１色になっているリライタブルシート１を前記熱転写プリンタ１６にセットして印字を行うと、第１表示層３では赤色を背景にして白色の文字または画像が形成され、第２表示層４では青色を背景にして白色の文字または画像が形成される。
【産業上の利用可能性】
【００４２】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（１）実施例１では、リライタブルシート１として、白色の台紙２表面に第１表示層３および第２表示層の２色の表示層を形成したものを使用したが、従来公知の種々のリライタブルシートを使用可能である。また、台紙２上に２色の表示層を形成したリライタブルシートの代わりに、３色以上の表示層を形成したものを使用可能である。また、前記台紙２として、白色のものを使用する代わりに他の色の台紙を使用したり、２色以上の複数色に色付けされた台紙を使用することも可能である。
（２）冷凍庫６にタイマ９が設けられていない場合には、冷凍庫６と電源との接続ケーブルの途中に、タイマのセット時間がタイムアップした時に電源を遮断する電源遮断装置付タイマを設けることができる。
【００４３】
（３）前記実施例１において、冷凍室（Ａ）内の温度を検出する温度センサと、前記温度センサの検出温度に対して設定されたタイマセット温度を記憶するセット温度記憶手段と、前記温度センサの検出温度がタイマセット温度になったときに前記時間がセットされるタイマとを設けることが可能である。その場合、前記タイマセット温度を例えば、−１５℃に設定することができる。その場合、前記タイマは、前記温度センサの検出温度が−１５℃になったときに設定される。その場合、冷凍室（Ａ）の温度が−１５℃になってから、前記タイマにセットされた時間が経過した時に冷凍庫６の電源が遮断される。
（４）前記冷凍庫（６）には、前記タイマ（９）がタイムアップした時に前記シート収容体（１１）を大気に露出させるケース露出装置を設けることが可能である。前記ケース露出装置は、前記タイマ（９）がタイムアップした時に開閉カバー８を開放して冷凍室Ａと大気とを連通させる装置により構成することが可能である。
（５）前記シートケース１１としては、例えば、箱型のシートケース、袋状のシート収容体等の種々のシート収容体を使用可能であるが、リライタブルシートの販売時に、複数の前記リライタブルシートを収容した状態で前記複数のリライタブルシートと、前記リライタブルシートを挿入する開閉可能な開口部を有したシート収容体とが一緒に販売された場合には、前記販売時にリライタブルシートが収容されていたシート収容体を使用することが可能である。
【図面の簡単な説明】
【００４４】
【図１】図１は本発明のリライタブルシートの画像形成・消去システムの実施例で使用するリライタブルシートの１例の説明図で、図１Ａは第１変色温度以下に冷却された状態のリライタブルシートの斜視図、図１Ｂはリライタブルシート用プリンタにより表面の一部が第２変色温度以上に昇温されて画像が表示された状態のリライタブルシートの斜視図である。
【図２】図２は本発明のリライタブルシートの画像形成・消去システムの実施例１の全体説明図である。
【図３】図３は前記図２で説明した本発明のリライタブルシートの画像形成・消去システムの実施例１の作用説明図であり、図３Ａは冷凍庫（冷却庫）の冷凍室（冷却室）内部にシート収容体を配置する様子を示す図、図３Ｂは冷凍庫の冷凍室内部にシート収容体を配置した状態を示す図である。
【図４】図４はタイマにセットされた時間が経過したときの冷凍室内の状態の説明図で、図４Ａは冷凍室内のシート収容体内部の温度が−１５℃以下になった状態の説明図、図４Ｂはタイマにセットされた時間がタイムアップした状態の説明図である。
【図５】図５は前記冷凍庫（冷却庫）の冷凍室からシート収容体を取り出し、シート収容体内部の温度が大気温度にほぼ等しくなるまで大気中にシート収容体を放置している状態を示す図である。
【符号の説明】
【００４５】
Ａ…冷凍室（冷却室）、
１…リライタブルシート、
６…シート収容体冷凍庫（冷却庫）、
９…タイマ、
１１…シート収容体、
１２…ケース本体、
１２ａ…開口、
１３…開閉蓋、
１６…リライタブルシート用プリンタ。
【図１】
2006043894.tif 000003
【図２】
2006043894.tif 000004
【図３】
2006043894.tif 000005
【図４】
2006043894.tif 000006
【図５】
2006043894.tif 000007